(57)【要約】【課題】メモリカードを逆向きに挿入した場合のメモリカードコネクタの破損事故を防止する。【解決手段】メモリカードコネクタ内のスライダ１２に設けたキャッチスプリング１４の先端を上に延長して他の部分よりも幅広とし、トップカバー１６から垂下するロックプレート１６ａはキャッチスプリング１４の先端拡幅部１５ａにのみ対峙する高さとする。メモリカードを逆向きに挿入したときは、キャッチ部１５がメモリカードに押されて外側へ回動するが、先端拡幅部１５ａがロックプレート１６ａの外側へ退避した状態でスライダ１２がスライドし、キャッチ部１５がロックプレート１６ａに衝突することがなく、キャッチスプリングの破損や変形が防止される。【選択図】　図５
2004095417.tif 000002
【特許請求の範囲】
【請求項１】
メモリカードコネクタ内に配置したスライダに板バネであるキャッチスプリングを取付け、キャッチスプリングは先端部に凸形のキャッチ部を備え、メモリカード挿入時にキャッチ部がメモリカードの側面の凹部に係合し、メモリカードを接続位置まで挿入したときにキャッチ部がメモリカードコネクタに設けたロックプレートとメモリカードとに挟まれてメモリカードの凹部から離脱不能に保持されるメモリカードコネクタの挿抜機構において、
キャッチスプリングのキャッチ部の先端を上または下へ拡幅してＬ形とするとともに、前記ロックプレートをキャッチ部の前記拡幅部にのみ対峙する高さに配置することにより、メモリカードコネクタへメモリカードを逆向きに挿入したときに、キャッチ部の拡幅部がロックプレートの外側へ回動されてスライダが移動し、キャッチ部とロックプレートの衝突を防止したことを特徴とするメモリカードコネクタの挿抜機構。
【請求項２】
上記スライダの内側の側面に凹部を形成し、キャッチスプリングが外側へ回動する際にキャッチ部が前記凹部内に進入するように構成した請求項１記載のメモリカードコネクタの挿抜機構。
【請求項３】
メモリカードコネクタ内のコンタクトピンの周囲にリブを形成し、メモリカードコネクタへメモリカードを逆向きに挿入したときにリブによりメモリカードの進入を阻止し、コンタクトピンの破損を防止したことを特徴とするメモリカードコネクタの挿抜機構。
【発明の詳細な説明】
【０００１】
【発明の属する技術分野】
この発明は、メモリカードコネクタの挿抜機構に関するものであり、特に、メモリカードの方向を誤って挿入した場合の機構部の破損を防止したメモリカードコネクタの挿抜機構に関するものである。
【０００２】
【従来の技術及び発明が解決しようとする課題】
従来のメモリカードコネクタを図にしたがって説明する。図６はメモリカードコネクタ１にメモリカード２１を装着した状態を示し、メモリカードコネクタ１は、樹脂製のベースフレーム２とこれに嵌合する金属製のトップカバー３とによって筐体を構成している。図７はベースフレーム２を示し、４はスライダであり、ベースフレーム２の後部（図７において左）に、メモリカード２１の端子配列に合わせてコンタクトピン５が横並びに配置されている。ベースフレーム２の左辺（図７において下）近傍にはスライダガイド６が形成されていて、スライダガイド６とトップカバー３の左側壁（図示せず）とによってスライダ４を挟んでガイドする。ベースフレーム２の後部壁面とスライダ４との間に挿入された圧縮コイルバネ７によりスライダ４は図示の前進初期位置に保持される。スライダ４に取付けられているキャッチスプリング８は、先端に円弧形のキャッチ部８ａがプレス加工されていて、キャッチ部８ａはメモリカードコネクタ１の内部空間へ突出している。
【０００３】
図８、図９はメモリカード２１を示し、挿入方向を規制するために前端左角を斜めに切り欠いた形状となっており、図９に示すように前端左の斜面部２２の裏に前後方向の溝２３が形成されていて、左側面には半円形の凹部２４が形成されている。図７に示すように、メモリカードコネクタ１のスライダ４はメモリカード２１の斜面部２２ならびに溝２３と対偶をなす形状であって、メモリカードコネクタ１にメモリカード２１を正しい向きで挿入すると、メモリカード２１の溝２３へスライダ４のアーム部４ａが進入するとともに、キャッチスプリング８のキャッチ部８ａがメモリカード２１の凹部２４に嵌合し、これと同時にメモリカード２１の斜面部２２がスライダ４の三角プレート部４ｂに接し、スライダ４はメモリカード２１に押されて後退する。
【０００４】
図１０はメモリカードコネクタ１へメモリカード２１が装着された状態を示し、メモリカード２１の接点がメモリカードコネクタ１のコンタクトピン５に接触し、キャッチスプリング８のキャッチ部８ａはトップカバー３に設けたロックプレート３ａにより外側方向への移動を規制され、メモリカード２１の凹部２４へ嵌合した状態に保持されている。図示は省略するが、メモリカードコネクタ１にはスライダ４の後部側面に形成したハート形溝カムと、ベースフレーム２に設けたロックピンとによる公知のスライダロック機構が設けられており、スライダ４の前後移動に伴ってロックピンはハート形溝カムに沿って動き、スライダ４がロック位置へ後退するとロックピンがハート形溝カムの凹部に係合してスライダ４はロック位置に固定される。メモリカード２１を取外す際は、メモリカード２１を奥方向へ押せば、ロックピンがハート形溝カムの凹部から外れてスライダ４のロックが解除され、圧縮コイルバネによりスライダが前進してメモリカードが排出される。
【０００５】
以上がメモリカード２１を正しい向きで装着したときの説明であるが、メモリカード２１を逆向きに挿入した場合は、図１１に示すようにメモリカード２１の側面によってキャッチスプリング８が外側へ撓められた状態でスライダ４が後退し、キャッチスプリング８のキャッチ部８ａがトップカバー３のロックプレート３ａへ当たってスライダ４が停止する。そして、さらにメモリカード２１が押されるとキャッチスプリング８がスライダ４から脱落したり、キャッチ部８ａが折り曲がってメモリカード２１とロックプレート３ａとの間に詰まったりしてキャッチスプリング８が破損することがある。また、さらにメモリカード２１が押されるとメモリカード２１がコンタクトピン５に衝突してコンタクトピン５が破損することもある。
【０００６】
そこで、メモリカードを逆向きに挿入した場合のメモリカードコネクタの破損事故を防止するために解決すべき技術的課題が生じてくるのであり、本発明は上記課題を解決することを目的とする。
【０００７】
【課題を解決するための手段】
この発明は、上記目的を達成するために提案するものであり、メモリカードコネクタ内に配置したスライダに板バネであるキャッチスプリングを取付け、キャッチスプリングは先端部に凸形のキャッチ部を備え、メモリカード挿入時にキャッチ部がメモリカードの側面の凹部に係合し、メモリカードを接続位置まで挿入したときにキャッチ部がメモリカードコネクタに設けたロックプレートとメモリカードとに挟まれてメモリカードの凹部から離脱不能に保持されるメモリカードコネクタの挿抜機構において、
キャッチスプリングのキャッチ部の先端を上または下へ拡幅してＬ形とするとともに、前記ロックプレートをキャッチ部の前記拡幅部にのみ対峙する高さに配置することにより、メモリカードコネクタへメモリカードを逆向きに挿入したときに、キャッチ部の拡幅部がロックプレートの外側へ回動されてスライダが移動し、キャッチ部とロックプレートの衝突を防止したことを特徴とするメモリカードコネクタの挿抜機構を提供するものである。
【０００８】
また、上記スライダの内側の側面に凹部を形成し、キャッチスプリングが外側へ回動する際にキャッチ部が前記凹部内に進入するように構成したメモリカードコネクタの挿抜機構を提供するものである。
【０００９】
また、メモリカードコネクタ内のコンタクトピンの周囲にリブを形成し、メモリカードコネクタへメモリカードを逆向きに挿入したときにリブによりメモリカードの進入を阻止し、コンタクトピンの破損を防止したことを特徴とするメモリカードコネクタの挿抜機構を提供するものである。
【００１０】
【発明の実施の形態】
以下、この発明の実施の一形態を図に従って詳述する。図１はメモリカードコネクタのベースフレーム１１を示し、スライダ１２やコンタクトピン１３の配列は、図７に示した従来のメモリカードコネクタ１と同一であるが、キャッチスプリング１４並びに後述するトップカバーのロックプレートの形状が相違している。また、ベースフレーム１１にコンタクトピン１３の周囲を取囲むリブ１１ａを形成し、メモリカードを逆向きに挿入した場合にメモリカードがリブ１１ａに当たってコンタクトピン１３の手前で挿入を阻止されるようにして、コンタクトピン１３の破損を防止している。
【００１１】
図２は正しい向きでメモリカード２１を装着した状態を示し、従来例と同様にメモリカード２１の左側面の凹部２４にキャッチスプリング１４のキャッチ部１５が嵌合してメモリカード２１とともにスライダ１２が押し込まれ、メモリカード２１の接点とメモリカードコネクタのコンタクトピン１３が接触する。そして、図２及び図３のようにキャッチ部１５の先端拡幅部１５ａがトップカバー１６に形成したロックプレート１６ａに接して外側への移動を阻止され、キャッチ部１５がメモリカード２１の凹部２４から外れないように保持されるとともに、図２に示すスライダ１２の側面に形成したハート形溝カム１７とベースフレーム１１に取付けたロックピン１８による公知のスライダロック機構によりスライダ１２がロック位置に固定されてメモリカード２１が装着される。
【００１２】
図３は図２のＡ−Ａ線矢視図であり、ここに示すようにキャッチスプリング１４はキャッチ部１５の先端拡幅部１５ａのみが一段高いＬ形の段付形状としている。また、トップカバー１６から垂下しているロックプレート１６ａは従来型よりも短く、先端拡幅部１５ａにのみ対峙する高さとなっていて、先端拡幅部１５ａ以外の部分には干渉しないようにしている。ロックプレート１６ａとベースフレーム１１の内部底面との間隙の上下寸法はキャッチスプリング１５の先端拡幅部１５ａを除く部分の高さよりも広くなっている。
【００１３】
メモリカードコネクタへメモリカードを裏返して挿入した場合は、先ずキャッチスプリング１４のキャッチ部１５がメモリカード２１の側面に押されて外側へ回動し、図４に示すようにキャッチ部１５の先端部分がスライダ１２の凹部１２ａ内に退避する。そして、スライダ１２が後方へスライドするときに、図５に示すようにキャッチ部１５の先端拡幅部１５ａはトップカバー１６のロックプレート１６ａに接触せずロックプレート１６ａの外側を進み、図４のように逆向きのメモリカード２１はスライダ１２のアーム部１２ｂが障害となって挿入途中で停止する。ここで、メモリカード２１を引き抜けば、スライダ１２は前進して図１の初期位置に戻り、キャッチスプリング１４もロックプレート１６ａの外側へ撓んだ状態から初期状態に戻る。
【００１４】
このように、キャッチスプリング１４が逆向きのメモリカード２１に押されて外側へ回動した状態でスライダ１２が後退した場合であっても、キャッチスプリング１４のキャッチ部１５はトップカバー１６のロックプレート１６ａに衝突することがないので、メモリカードを逆向きに挿入した場合におけるキャッチスプリングの破損や変形を防止することができる。
【００１５】
また、図４に示すように逆向きのメモリカード２１がスライダ１２のアーム部１２ｂに当たった状態から、さらに強くメモリカード２１が押されて、メモリカード２１がアーム部１２ｂを変形させたりアーム部１２ｂに乗上げたりしてメモリカード２１が前進した場合は、メモリカード２１がコンタクトピン１３を取囲むリブ１１ａに当たって停止し、コンタクトピン１３が破損する虞はない。
【００１６】
尚、この発明は上記の実施形態に限定するものではなく、この発明の技術的範囲内において種々の改変が可能であり、この発明がそれらの改変されたものに及ぶことは当然である。
【００１７】
【発明の効果】
以上説明したように、本発明のメモリカードコネクタの挿抜機構は、メモリカードを逆向きに挿入したときに、スライダに設けたキャッチスプリングのキャッチ部がロックプレートの外側へ退避した状態でスライダがスライドするので、キャッチスプリングのキャッチ部がロックプレートに衝突することがなく、キャッチスプリングの破損や変形を防止することができる。
【００１８】
また、スライダの内側の側面に凹部を形成し、キャッチスプリングが外側へ回動する際にキャッチ部が前記凹部内に進入するように構成することによりキャッチスプリングの自由回動範囲が拡大され、キャッチスプリングの変形防止に有効である。
【００１９】
また、メモリカードコネクタ内のコンタクトピンの周囲にリブを設けることにより、逆向きに挿入したメモリカードがコンタクトピンへ衝突してコンタクトピンを破損することを防止でき、フェイルセーフ作用がより確実になる。
【図面の簡単な説明】
【図１】本発明の実施の一形態を示し、メモリカードコネクタのベースフレームの平面図。
【図２】ベースフレームを示し、メモリカード装着状態を示す平面図。
【図３】図２のＡ−Ａ線矢視図。
【図４】ベースフレームを示し、メモリカードを逆向き挿入した状態を示す平面図。
【図５】図４のＡ−Ａ線矢視図。
【図６】メモリカードコネクタへメモリカードを装着した状態の斜視図。
【図７】従来例を示し、メモリカードコネクタのベースフレームの平面図。
【図８】メモリカードの斜視図。
【図９】メモリカードの底面図。
【図１０】従来例を示し、メモリカード装着状態を示すベースフレームの平面図。
【図１１】従来例を示し、メモリカードを逆向き挿入した状態を示す平面図。
【符号の説明】
１１　　　　　ベースフレーム
１１ａ　　　　リブ
１２　　　　　スライダ
１３　　　　　コンタクトピン
１４　　　　　キャッチスプリング
１５　　　　　キャッチ部
１５ａ　　　　先端拡幅部
１６　　　　　トップカバー
１６ａ　　　　ロックプレート
２１　　　　　メモリカード
２２　　　　　斜面部
２３　　　　　溝
２４　　　　　凹部
【図１】
2004095417.tif 000003
【図２】
2004095417.tif 000004
【図３】
2004095417.tif 000005
【図４】
2004095417.tif 000006
【図５】
2004095417.tif 000007
【図６】
2004095417.tif 000008
【図７】
2004095417.tif 000009
【図８】
2004095417.tif 000010
【図９】
2004095417.tif 000011
【図１０】
2004095417.tif 000012
【図１１】
2004095417.tif 000013